【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
マイクロカプセルであって、
（ａ）コアであって、
（ａ１）少なくとも１つ、２つまたは２つを超える活性成分を含有し、
（ａ２）そのうちの少なくとも１つが２５℃で液体であるコア、および
（ｂ）シェルであって、
（ｂ１）前記シェルの壁材料が、１つ以上のポリマーと、少なくとも１つのヒドロキシル官能基および少なくとも１つのアミノ官能基を含有する少なくとも１つの少なくとも５員の環式芳香族またはヘテロ芳香族成分とから形成され、
（ｂ２）前記２つの基が、前記芳香族またはヘテロ芳香族系の少なくとも１つの非置換原子によって互いに隔てられているシェル
を含むか、それらからなるマイクロカプセル。
【請求項２】
マイクロカプセルであって、
（ａ）少なくとも１つ、２つまたは２つを超える活性成分を含有するコア、および
（ｂ）シェル
を含むか、それらからなり、
前記シェルの壁材料が、
（ｉ）少なくとも１つの尿素誘導体またはメラミン誘導体、およびカルボニル化合物、
（ｉｉ）式（Ｉａ）および／または（Ｉｂ）：
【化１】
2020501899.tif 000001
［式中、Ｒ１およびＲ２は独立して水素、メチルまたはエチルを表す］
の少なくとも１つのアミノフェノール成分から形成される１つ以上のアミノ樹脂から形成される、マイクロカプセル。
【請求項３】
前記シェルを形成する前記壁材料が、天然、半合成または合成ポリマー材料およびそれらの混合物から選択される１つ以上のポリマーから構成されることを特徴とする、請求項１または２に記載のマイクロカプセル。
【請求項４】
前記尿素誘導体またはメラミン誘導体が、ｉ）２，４，６−トリアミノ−１，３，５−トリアジン（メラミン）もしくはテトラヒドロイミダゾ［４，５−ｄ］イミダゾール−２，５（１Ｈ，３Ｈ）−ジオン（グリコールウリル）、ベンゾグアナミンおよびアセトグアナミンなどのグアナミン、アジポ−およびグルタログアナミンなどのビスグアナミンまたはそれらの混合物であることを特徴とする、請求項１〜３のいずれかに記載のマイクロカプセル。
【請求項５】
前記アミノフェノール成分が、化合物（Ｉａ）または（Ｉｂ）であるか（Ｉａ）と（Ｉｂ）との混合物であり、（Ｉａ）と（Ｉｂ）との混合物の場合、成分（Ｉａ）：（Ｉｂ）の比が１０：１〜１：５であることを特徴とする、請求項１〜４のいずれかに記載のマイクロカプセル。
【請求項６】
前記アミノフェノール成分が３−アミノフェノールであることを特徴とする、請求項１〜５のいずれかに記載のマイクロカプセル。
【請求項７】
マイクロカプセルの製造方法であって：
Ａ）安定化剤および壁形成剤、ならびにカプセル化される活性成分を含むプレエマルジョンを提供する工程、
Ｂ）任意にアルコールを加えるか塩析することによって、温度および／またはｐＨを変えることにより縮合を開始する工程、
Ｃ）
（ｃ１）少なくとも１つの尿素誘導体またはメラミン誘導体を含有する分散剤を加えるか、または、
（ｃ２）尿素および／またはメラミンおよびアルデヒドの対応する初期縮合物により後硬化し、
好ましくは水性形態で、アミノフェノール成分（Ｉａ）および／または（Ｉｂ）を５０℃〜１００℃の温度で加える工程、
Ｄ）好ましくは水性形態または固体形態で尿素を加える工程、
Ｅ）反応混合物を冷却する工程、および任意に、
Ｆ）得られたカプセルを噴霧乾燥または噴霧ペレット化する工程、
を含む製造方法。
【請求項８】
前記マイクロカプセルの製造時に５重量％未満のホルムアルデヒドが形成されることを特徴とする、請求項７に記載の方法。
【請求項９】
マイクロカプセルの壁材料を固めるための、マイクロカプセルの製造時の
式（Ｉａ）および／または（Ｉｂ）：
【化２】
2020501899.tif 000002
のアミノフェノール成分の使用。
【請求項１０】
前記アミノフェノール成分が、化合物（Ｉａ）または（Ｉｂ）であるか（Ｉａ）と（Ｉｂ）との混合物であり、（Ｉａ）と（Ｉｂ）との混合物の場合、成分（Ｉａ）：（Ｉｂ）の比が１０：１〜１：５であることを特徴とする、請求項９に記載の使用。
【請求項１１】
前記アミノフェノール成分が３−アミノフェノールであることを特徴とする、請求項９または１０に記載の使用。
【請求項１２】
マイクロカプセルのシェルの安定性を高めるための
式（Ｉａ）および／または（Ｉｂ）：
【化３】
2020501899.tif 000003
のアミノフェノール成分の使用。
【請求項１３】
請求項１〜６のいずれかに記載のマイクロカプセルを含むか、請求項７または８に記載の方法によって得られる、洗浄浄化組成物、化粧品配合物または香料組成物。
【請求項１４】
請求項１〜６のいずれかに記載のマイクロカプセルを含むか、請求項７または８に記載の方法によって得られる、農薬。
【請求項１５】
請求項１〜６のいずれかに記載のマイクロカプセルを含むか、請求項７または８に記載の方法によって得られる、接着剤。
【手続補正２】
【補正対象書類名】明細書
【補正対象項目名】００５０
【補正方法】変更
【補正の内容】
【００５０】
本発明のさらなる態様は、
マイクロカプセルの壁材料を固めるための、マイクロカプセルを製造するための式（Ｉａ）および／または（Ｉｂ）のアミノフェノール成分の使用である。
【化２】
2020501899.tif 000004
【手続補正３】
【補正対象書類名】明細書
【補正対象項目名】００５３
【補正方法】変更
【補正の内容】
【００５３】
後硬化中に式（Ｉａ）および／または（Ｉｂ）のアミノフェノール成分を使用したところ、驚くべきことに安定なカプセルシェルがもたらされた。比較すると、３−アミノフェノールは、特に、カプセルシェル中の様々な活性成分、特に芳香剤の保持能力に関して、最良の安定性を有した。
【手続補正４】
【補正対象書類名】明細書
【補正対象項目名】００５４
【補正方法】変更
【補正の内容】
【００５４】
したがって、本発明はさらに、
マイクロカプセルのシェルの安定性を高めるため、特にカプセル中の活性成分、好ましくはマイクロカプセル中の芳香剤の保持能力を高めるための、式（Ｉａ）および／または（Ｉｂ）のアミノフェノール成分の使用を提供する。
【化３】
2020501899.tif 000005
【手続補正５】
【補正対象書類名】明細書
【補正対象項目名】０１４３
【補正方法】変更
【補正の内容】
【０１４３】
好ましい態様において、接着剤および農薬の成分が本発明のカプセル中にカプセル化される。
本明細書の当初の開示は、少なくとも下記の態様を包含する。
〔１〕マイクロカプセルであって、
（ａ）コアであって、
（ａ１）少なくとも１つ、２つまたは２つを超える活性成分を含有し、
（ａ２）そのうちの少なくとも１つが２５℃で液体であるコア、および
（ｂ）シェルであって、
（ｂ１）前記シェルの壁材料が、１つ以上のポリマーと、少なくとも１つのヒドロキシル官能基および少なくとも１つのアミノ官能基を含有する少なくとも１つの少なくとも５員の環式芳香族またはヘテロ芳香族成分とから形成され、
（ｂ２）前記２つの基が、前記芳香族またはヘテロ芳香族系の少なくとも１つの非置換原子によって互いに隔てられているシェル
を含むか、それらからなるマイクロカプセル。
〔２〕マイクロカプセルであって、
（ａ）少なくとも１つ、２つまたは２つを超える活性成分を含有するコア、および
（ｂ）シェルを含むか、それらからなり、
前記シェルの壁材料が、
（ｉ）少なくとも１つの尿素誘導体またはメラミン誘導体、およびカルボニル化合物、
（ｉｉ）式（Ｉａ）および／または（Ｉｂ）：
2020501899.tif 000006
［式中、Ｒ１およびＲ２は独立して水素、メチルまたはエチルを表す］
の少なくとも１つのアミノフェノール成分から形成される１つ以上のアミノ樹脂から形成される、マイクロカプセル。
〔３〕前記シェルを形成する前記壁材料が、天然、半合成または合成ポリマー材料およびそれらの混合物から選択される１つ以上のポリマーから構成されることを特徴とする、前記〔１〕および／または〔２〕に記載のマイクロカプセル。
〔４〕前記尿素誘導体またはメラミン誘導体が、ｉ）２，４，６−トリアミノ−１，３，５−トリアジン（メラミン）もしくはテトラヒドロイミダゾ［４，５−ｄ］イミダゾール−２，５（１Ｈ，３Ｈ）−ジオン（グリコールウリル）、ベンゾグアナミンおよびアセトグアナミンなどのグアナミン、アジポ−およびグルタログアナミンなどのビスグアナミンまたはそれらの混合物であることを特徴とする、前記〔１〕〜〔３〕のうちの少なくとも一項に記載のマイクロカプセル。
〔５〕前記アミノフェノール成分が、化合物（Ｉａ）または（Ｉｂ）であるか（Ｉａ）と（Ｉｂ）との混合物であり、（Ｉａ）と（Ｉｂ）との混合物の場合、成分（Ｉａ）：（Ｉｂ）の比が１０：１〜１：５であることを特徴とする、前記〔１〕〜〔４〕のうちの少なくとも一項に記載のマイクロカプセル。
〔６〕前記アミノフェノール成分が３−アミノフェノールであることを特徴とする、前記〔１〕〜〔５〕のうちの少なくとも一項に記載のマイクロカプセル。
〔７〕マイクロカプセルの製造方法であって：
Ａ）安定化剤および壁形成剤、ならびにカプセル化される活性成分を含むプレエマルジョンを提供する工程、
Ｂ）任意にアルコールを加えるか塩析することによって、温度および／またはｐＨを変えることにより縮合を開始する工程、
Ｃ）
（ｃ１）少なくとも１つの尿素誘導体またはメラミン誘導体を含有する分散剤を加えるか、または、
（ｃ２）尿素および／またはメラミンおよびアルデヒドの対応する初期縮合物により後硬化し、
好ましくは水性形態で、アミノフェノール成分（Ｉａ）および／または（Ｉｂ）を５０℃〜１００℃の温度で加える工程、
Ｄ）好ましくは水性形態または固体形態で尿素を加える工程、
Ｅ）反応混合物を冷却する工程、および任意に、
Ｆ）得られたカプセルを噴霧乾燥または噴霧ペレット化する工程、を含む製造方法。
〔８〕前記マイクロカプセルの製造時に５重量％未満のホルムアルデヒドが形成されることを特徴とする、前記〔７〕に記載の方法。
〔９〕マイクロカプセルの壁材料を固めるための、マイクロカプセルの製造時の
式（Ｉａ）および／または（Ｉａ）：
2020501899.tif 000007
のアミノフェノール成分の使用。
〔１０〕前記アミノフェノール成分が、化合物（Ｉａ）または（Ｉｂ）であるか（Ｉａ）と（Ｉｂ）との混合物であり、（Ｉａ）と（Ｉｂ）との混合物の場合、成分（Ｉａ）：（Ｉｂ）の比が１０：１〜１：５であることを特徴とする、前記〔９〕に記載の使用。
〔１１〕前記アミノフェノール成分が３−アミノフェノールであることを特徴とする、前記〔９〕および／または〔１０〕に記載の使用。
〔１２〕マイクロカプセルのシェルの安定性を高めるための
式（Ｉａ）および／または（Ｉａ）：
2020501899.tif 000008
のアミノフェノール成分の使用。
〔１３〕前記〔１〕〜〔６〕のうちの少なくとも一項に記載のマイクロカプセルを含むか、前記〔７〕および／または〔８〕のうちの少なくとも一項に記載の方法によって得られる、洗浄浄化組成物、化粧品配合物または香料組成物。
〔１４〕前記〔１〕〜〔６〕のうちの少なくとも一項に記載のマイクロカプセルを含むか、前記〔７〕および／または〔８〕のうちの少なくとも一項に記載の方法によって得られる、農薬。
〔１５〕前記〔１〕〜〔６〕のうちの少なくとも一項に記載のマイクロカプセルを含むか、前記〔７〕および／または〔８〕のうちの少なくとも一項に記載の方法によって得られる、接着剤。